(57)【要約】【課題】バックライト制御手段と多様な品種の外光センサを組み合わせ、視認性が良好で低消費電力な液晶ディスプレイ等の表示装置を提供する。【解決手段】液晶表示装置の表示輝度制御回路において、入射光との関係が対数である照度信号を線形信号に変換する対数−リニア変換回路１０６を有し、外光センサ１０１の出力が対数信号の場合は、対数−リニア変換回路１０６を介してリニア信号に変換し、外光センサ１０１の出力がリニア信号の場合は、対数−リニア変換回路１０６を介さないことにする。この対数−リニア変換回路１０６は、対数ｌｏｇの逆関数である指数関数回路に相当する。また、同じ対数出力照度センサであっても入出力特性が異なる場合は、前述の指数関数回路の設定を変更できるようにする。【選択図】図４
2008107580.tif 000002
【特許請求の範囲】
【請求項１】
周囲の照度を計測する外光センサが出力する照度信号に基づき、表示輝度を切り替える手段を有する表示装置の駆動回路において、
前記照度信号は、入射光との関係が線形である場合と、入射光との関係が対数である場合があり、
前記入射光との関係が対数である前記照度信号を線形信号に変換する対数−リニア変換回路を有する、ことを特徴とする表示輝度制御回路。
【請求項２】
請求項１に記載の表示輝度制御回路において、
前記対数−リニア変換回路が前記照度信号に施す演算は、指数関数である、ことを特徴とする表示輝度制御回路。
【請求項３】
請求項２に記載の表示輝度制御回路において、
前記入射光と前記照度信号との関係が線形である場合には、前記照度信号を前記対数−リニア変換回路を通過させないことで該照度信号を変換せずに前記表示輝度制御回路における表示輝度制御に用い、
前記入射光と前記照度信号との関係が対数である場合には、前記照度信号を前記対数−リニア変換回路を通過させることで該照度信号を変換してから前記表示輝度制御回路における表示輝度制御に用いる、ことを特徴とする表示輝度制御回路。
【請求項４】
請求項３に記載の表示輝度制御回路において、
前記表示輝度制御回路に入力される信号は、前記照度信号であるリニア出力照度センサモードと、前記対数−リニア変換回路が出力する信号である対数出力照度センサモードがあり、
前記リニア出力照度センサモードと前記対数出力照度センサモードは、外部から切り替え可能である、ことを特徴とする表示輝度制御回路。
【請求項５】
請求項４に記載の表示輝度制御回路において、
前記対数−リニア変換回路が前記照度信号に施す指数関数の係数は、調整可能である、ことを特徴とする表示輝度制御回路。
【請求項６】
請求項５に記載の表示輝度制御回路において、
前記対数−リニア変換回路が前記照度信号に施す指数関数の調整値は、前記照度信号と前記対数−リニア変換回路の出力との関係における、任意の２点の座標値である、ことを特徴とする表示輝度制御回路。
【請求項７】
請求項５に記載の表示輝度制御回路において、
前記対数−リニア変換回路が前記照度信号に施す指数関数の調整値を設定する設定レジスタを有する、ことを特徴とする表示輝度制御回路。
【請求項８】
請求項７に記載の表示輝度制御回路において、
前記制御レジスタに設定可能な値は、前記対数−リニア変換回路の出力との関係における、任意の２点の座標値である、ことを特徴とする表示輝度制御回路。
【請求項９】
請求項５に記載の表示輝度制御回路において、
前記対数−リニア変換回路が前記照度信号に施す指数関数の調整値は、前記照度信号と前記対数−リニア変換回路の出力との関係における、任意の１点の座標値と、固定された１点の座標値である、ことを特徴とする表示輝度制御回路。
【請求項１０】
請求項５に記載の表示輝度制御回路において、
前記対数−リニア変換回路が前記照度信号に施す指数関数の調整値として、任意の１点の座標値を設定する設定レジスタを有する、ことを特徴とする表示輝度制御回路。
【請求項１１】
請求項１乃至１０のいずれか１項に記載の表示輝度制御回路において、
前記表示輝度制御回路は、表示装置が搭載される情報機器のボタン式入力部の照明強度を制御する、ことを特徴とする表示輝度制御回路。
【発明の詳細な説明】
【技術分野】
【０００１】
本発明は、表示輝度制御回路の技術に関し、特に、液晶表示装置のバックライト制御などに適用して有効な技術に関するものである。
【背景技術】
【０００２】
携帯電話に代表されるモバイル機器に搭載される液晶ディスプレイのほとんどがバックライトを必要とする透過型、半透過型である。しかし、透過型、半透過型の液晶ディスプレイは強い外光下、例えば太陽光などの高い照度環境下では表示画像情報が外光によって打ち消され、その視認性が低下することが知られている。一方、太陽光下で視認性が良い反射型の液晶ディスプレイは、例えば室内の低い照度環境下では表示画像情報の基となる光量が不足するため、その視認性が低下する。
【０００３】
透過型、半透過型液晶ディスプレイにおける視認性向上のための工夫としては、特許文献１に示されている方法などがある。この技術は周囲の照度を外光センサで計測、検出した照度情報に応じて表示装置の表示輝度を制御する手段と、キーボードのバックライト照度を制御するものである。特許文献１に記載の制御では、例えば太陽光などの高い照度環境下では、表示画像情報が外光によって打ち消されないよう、バックライト光量を増加させて液晶ディスプレイの視認性を向上させる。一方、室内などの低い照度環境下では相対的にバックライト光量が高く、表示画像情報が打ち消される要素が小さいため、バックライト光量は増加させないか、あるいは減少させる。これらの制御により、例えば屋外では視認性優先でバックライト光量を増加させ、室内では消費電力優先でバックライト光量を減少させることが可能になる。これにより、液晶ディスプレイの低消費電力化と高視認性化の両立が実現できる。
【特許文献１】特開２００１−２６５４６３号公報
【発明の開示】
【発明が解決しようとする課題】
【０００４】
ところで、外光センサには主に２種類のタイプがある。ひとつは入射光量に対して出力される照度信号がリニアの関係にあるリニア出力照度センサ、もうひとつは入射光量に対して出力される照度信号が対数の関係にある対数出力照度センサである。光センサに用いるフォトダイオードは入射光照度−出力電流の関係がリニアであるため、これまでは前者のリニア出力照度センサが主流であった。しかし、近年では低照度域で細かく照度差を検出可能な対数出力照度センサが登場し、現在はこれら２種の照度センサが混在している状況である。また、前述の対数出力照度センサにおいては、メーカ毎、あるいは製品毎にセンサの入出力特性が異なることが判っている。
【０００５】
本発明の課題は、多様な品種の外光センサ、例えばリニア出力照度センサや対数出力照度センサであっても、センサの出力に応じたバックライト光量の制御を可能にし、さらには、同種のセンサであっても入出力特性の異なる場合に同様なバックライト光量の制御を可能にすることである。
【０００６】
本発明は、以上を実現することで、バックライト制御手段と多様な品種の外光センサを組み合わせ、視認性が良好で低消費電力な液晶ディスプレイ等の表示装置を提供することを目的とするものである。
【０００７】
本発明の前記ならびにその他の目的と新規な特徴は、本明細書の記述および添付図面から明らかになるであろう。
【課題を解決するための手段】
【０００８】
本願において開示される発明のうち、代表的なものの概要を簡単に説明すれば、次のとおりである。
【０００９】
本発明は、上記課題を解決するに当たって、リニア出力照度センサのリニア信号と対数出力照度センサの対数信号を同等に扱えるようにするために、入射光との関係が対数である照度信号を線形信号に変換する対数−リニア変換回路を有し、センサの出力が対数信号の場合は、対数−リニア変換回路を介してリニア信号に変換し、センサの出力がリニア信号の場合は、対数−リニア変換回路を介さないことにする。この対数−リニア変換回路は、対数ｌｏｇの逆関数である指数関数回路に相当する。また、同じ対数出力照度センサであっても入出力特性が異なる場合は、前述の指数関数回路の設定を変更できるようにする。
【発明の効果】
【００１０】
本願において開示される発明のうち、代表的なものによって得られる効果を簡単に説明すれば以下のとおりである。
【００１１】
本発明によれば、対数−リニア変換回路を有することで、外光センサがリニア出力照度センサであっても対数出力照度センサであっても同様なバックライト光量の制御が可能となる。また、対数−リニア変換回路に相当する指数関数回路の設定を変更できるので、入出力特性の異なる対数出力照度センサであっても同様なバックライト光量の制御が可能であり、表示装置の視認性向上効果および低消費電力効果が期待できる。
【発明を実施するための最良の形態】
【００１２】
以下、本発明の実施の形態を図面に基づいて詳細に説明する。なお、実施の形態を説明するための全図において、同一の部材には原則として同一の符号を付し、その繰り返しの説明は省略する。
【００１３】
本発明の実施の形態においては、リニア出力照度センサのリニア信号と対数出力照度センサの対数信号を同等に扱えるようにするために対数−リニア変換回路を設置し、センサの出力が対数信号の場合は、対数−リニア変換回路を介してリニア信号に変換し、センサの出力がリニア信号の場合は、対数−リニア変換回路を介さないことにする。なお、ここでの対数−リニア変換回路とは、対数ｌｏｇの逆関数である指数関数回路に相当し、これをバックライト制御回路の入力段に設置することで、外光センサの種類に関わらずバックライト制御回路にはリニア信号が入力されることになる。
【００１４】
また、同じ対数出力照度センサであっても入出力特性が異なる場合は、前述の指数関数回路の設定を変更できるようにする。ここで、全ての指数関数のグラフは縦軸を対数目盛りとした場合、その様態は直線となり、式１に示すように例えば２が底の指数関数で表現することが可能である。そして、式１は、グラフ上の直線が通過する任意の２点を指定すれば、ｊ、ｋを算出することが可能であり、所望の指数関数が得られることを示している。
【００１５】
ｙ＝ｊ×２＾ｋｘ  ・・・  式１
さらに、入力信号ｘが８ビットである場合を前提にして説明すると、ｙ＝１の時のｘ値をα、入力信号の最大値ｘ＝２５５の時のｙ値をβとしてｊ、ｋを求めると、式１は式２に変形することができる。これにより、縦軸に対数目盛りをとった場合のｘ軸交点と、ｘ最大値の場合のｙ値を表わす２値（α、β）のみで所望の指数関数が規定できることが判る。
【００１６】
ｙ＝２＾｛（ｘ−α）／（２５５−α）ｌｏｇ2β｝  ・・・  式２
以上から、外部からα、βを入力することで指数関数の設定を変更できるようにすれば、入出力特性の異なる対数出力照度センサであっても所望のリニア信号に変換可能であることが判る。そして、バックライト制御回路にはセンサの種類や入出力特性によらず同様なリニア信号が入力されるため、所望のバックライト制御と液晶ディスプレイの視認性向上を実現することができる。
【００１７】
上記においては、液晶ディスプレイを例に取り説明したが、本発明は外光照度に応じて調光を行う表示装置であれば、有機ＥＬディスプレイやプラズマディスプレイなどの他の表示装置にも適用することが可能である。以下においては、主に液晶ディスプレイの表示装置、有機ＥＬディスプレイの表示装置を例に、各実施例を具体的に説明する。
【実施例１】
【００１８】
図１は、本発明の実施の形態１における表示輝度制御回路を含む表示装置の主要部分を示す説明図である。図１中、１０１は外光センサ、１０２はバックライト制御回路、１０３はＬＣＤバックライト、１０４は入力キーバックライト、１０５は対数出力光センサ、１０６は対数−リニア変換回路である。本実施の形態における表示装置は、液晶表示装置に適用した例で、対数出力光センサ１０５が外光センサ１０１に含まれ、入射光との関係が対数である照度信号を線形信号に変換する対数−リニア変換回路１０６がバックライト制御回路１０２の入力段に接続されて構成される。
【００１９】
本実施の形態の液晶表示装置においては、外光センサ１０１が照度信号を発信し、これをバックライト制御回路１０２が受信し、外光の明るさに見合ったバックライトの明るさを決定し、ＬＣＤバックライト１０３と入力キーバックライト１０４の調光を行う。このとき、外光センサ１０１の出力である照度信号は、入射光と照度信号の関係が（ａ）のグラフのようにリニアになるものと、入射光と照度信号の関係が（ｂ）のグラフのように対数となるものがある。双方の照度信号に対応するには、（ｃ）のように対数照度信号をリニア照度信号に変換することによって、バックライト制御回路１０２からは同一のリニア照度信号となるようにすればよい。
【００２０】
それには、外光センサ１０１内の対数出力光センサ１０５の出力である対数照度信号を一度、バックライト制御回路１０２の入力段の対数−リニア変換回路１０６で受け、この対数−リニア変換回路１０６で指数関数処理を行い、リニア照度信号に変換することによって行う。このとき、対数出力光センサ１０５は、製品により、（ｄ）に示すように全く違った入射光照度信号特性を持つため、対数−リニア変換回路１０６についても（ｅ）に示すように違った変換を行う必要がある。
【００２１】
図２は、指数関数が全てｙ＝ｊ×２＾ｋｘで表すことが可能であることを示す説明図である。図２中、（ａ）は、縦軸を対数表示とした場合の指数関数のグラフである。２０１はｙ＝２＾ｘのグラフ、２０２はｙ＝３＾ｘのグラフである。このように全ての指数関数のグラフは、対数表示とした場合に全て直線となる。また、（ｂ）は、２のべき乗の様々な指数関数のグラフである。２０３はｙ＝２＾ｘ、２０４はｙ＝１／２×２＾ｘ、２０５はｙ＝２＾（ｘ／２）のグラフである。全てのグラフは直線となり、様々な位置や傾きの直線となることができることを表している。
【００２２】
つまり、前述の式１の形の関数は、対数表示の任意の直線を表すことができる。さらに、入力信号ｘが８ビットである場合を前提にして説明すると、ｙ＝１の時のｘ値をα、入力信号の最大値ｘ＝２５５の時のｙ値をβとしてｊ、ｋを求めると、式１は前述の式２に変形することができる。（ｃ）は、式２をグラフにしたものである。ｙ＝１上にα、ｘ＝２５５上にβの点を決定するとその間に任意の直線を引くことができる。つまり、任意の指数関数を定義できることになる。
【００２３】
図３は、式２を回路化した場合を示す説明図である。図３中、３０１は前処理部、３０２は２＾ｘ回路、３０３は整数・小数分離部、３０４は２＾ｍ算出部、３０５は計算テーブル、３０６はｎビットシフト回路である。整数・小数分離部３０３、２＾ｍ算出部３０４、計算テーブル３０５、ｎビットシフト回路３０６は、２＾ｘ回路３０２に含まれて構成される。式２の計算を順を追って説明する。まず、入力値ｘを、予め設定しておいたαとｌｏｇ2βの値とともに３０１の前処理部で下記式３の計算を行い、ｘ’を求める。
【００２４】
ｘ’＝（ｘ−α）／（２５５−α）ｌｏｇ2β  ・・・  式３
この計算は、単純な四則演算で可能である。次にこのｘ’を使用し、２のべき乗計算を２＾ｘ回路３０２で行う。この演算の詳細を示す。まずｘ’を整数・小数分離部３０３で整数部ｎと小数部ｍに分ける。このうち、小数部ｍは、２＾ｍ算出部３０４に送られ、計算テーブル３０５を使用して、２＾ｍを計算する。この値を２＾ｎ倍することで計算結果が得られる。２＾ｎ倍は、単純なｎビットシフト回路３０６で計算ができる。このようにして、計算結果ｙを求める。これらの回路によって、式２の計算が可能となる。
【００２５】
図４は、本実施の形態の表示輝度制御回路を液晶ドライバに組み込んだ場合の液晶モジュールを示す構成図である。図４中、４０１は液晶ドライバ、４０２は液晶パネル、４０３はバックライトモジュール、４０４はバックライト電源回路、４０５は制御プロセッサ、４０６はシステムインターフェース、４０７はコントロールレジスタ、４０８はα設定レジスタ、４０９はｌｏｇ2β設定レジスタ、４１０はグラフィックＲＡＭ、４１１はタイミング発生回路、４１２は階調電圧生成回路、４１３は信号線駆動回路、４１４は走査線駆動回路、１０１は外光センサ、１０６は対数−リニア変換回路、１０２はバックライト制御回路、４１８はＰＷＭ回路である。
【００２６】
本実施の形態において、液晶ドライバ４０１は、システムインターフェース４０６、α設定レジスタ４０８とｌｏｇ2β設定レジスタ４０９を有するコントロールレジスタ４０７、グラフィックＲＡＭ４１０、タイミング発生回路４１１、階調電圧生成回路４１２、信号線駆動回路４１３、走査線駆動回路４１４、対数−リニア変換回路１０６、バックライト制御回路１０２、ＰＷＭ回路４１８から構成される。
【００２７】
ここで、液晶ドライバ４０１の動作を示す。制御プロセッサ４０５からシステムインターフェース４０６を介してグラフィックＲＡＭ４１０に表示データが書き込まれる。このデータはタイミング発生回路４１１の発生する表示読み出しタイミングで読み出されて、階調電圧生成回路４１２で生成された階調電圧とともに、信号線駆動回路４１３に送り込まれる。信号線駆動回路４１３では、それらのデータを使い、走査線駆動回路４１４と共に、液晶パネル４０２を駆動して、データの表示を行う。これに、バックライト電源回路４０４からの電源を供給してもらい、バックライトモジュール４０３が発光し、液晶パネル４０２の表示が見えるようになる。
【００２８】
これに前述のバックライト制御を組み込むことで、外光に反応してバックライトの調光を行うようにする。外光センサ１０１から出力される対数照度信号を対数−リニア変換回路１０６で、α設定レジスタ４０８とｌｏｇ2β設定レジスタ４０９の値を使用してリニア照度信号に変換する。これをバックライト制御回路１０２へ送信し、そこでバックライト調光データを作成する。これをＰＷＭ回路４１８で、ＰＷＭ信号へ変換し、液晶ドライバ外のバックライト電源回路４０４をコントロールし、バックライトモジュール４０３の調光を行う。
【００２９】
ただし、外光センサ１０１がリニア照度信号を出力する場合、対数−リニア変換回路１０６では変換を行わずに入力をそのまま出力することによって、リニア照度信号にも対応することができる。このように、バックライト制御回路１０２に入力される信号には、照度信号であるリニア出力照度センサモードと、対数−リニア変換回路１０６が出力する信号である対数出力照度センサモードがあり、これらのモードは外部から切り替えことができる。
【００３０】
以上のようにして、指数関数回路の対数−リニア変換回路１０６をバックライト制御回路１０２の入力段に設置することで、外光センサがリニア出力照度センサであっても対数出力照度センサであっても同様なバックライト光量の制御が可能となる。また、指数関数回路は、その入出力特性を示すグラフにおいて、外部からグラフ特性調整を可能とすることで、入出力特性の異なる対数出力照度センサであっても同様なバックライト光量の制御を可能とし、液晶ディスプレイの視認性向上および低消費電力化を実現することができる。
【００３１】
なお、対数−リニア変換回路１０６は、バックライト制御回路１０２に内蔵して構成しても良い。
【実施例２】
【００３２】
図５は、本発明の実施の形態２における表示輝度制御回路を含む液晶表示装置において、前述した式２をグラフにしたもの（図２（ｃ））を置き換えた図である。式２では、対数−リニア変換回路の入力信号ｘの最大値を２５５として導き出したものであるが、出力信号の範囲も固定し、出力信号の幅を１６ビットとすると、最大値は２＾１６となり、これより式４が導ける。
【００３３】
ｙ＝２＾｛（ｘ−α）／（２５５−α）×１６｝  ・・・  式４
この式４をグラフ化したものを図５に示すが、関数を決定するパラメータはαのみとなり、全ての関数は、（ｘ，ｙ）＝（２５５，２＾１６）の点を必ず通る直線となる。これは、入力ｘの最大値は必ず出力ｙの最大値２＾１６に対応することを意味する。
【００３４】
以上のようにして、本実施の形態は、α設定レジスタに１つのパラメータを設定するだけで指数関数を調整するため、前記実施の形態１と比べて簡便なグラフ特性調整を実現し、これにより、入出力特性の異なる対数出力照度センサであっても同様なバックライト光量の制御を可能とし、液晶ディスプレイの視認性向上および低消費電力化を実現することができる。
【実施例３】
【００３５】
図６は、本発明の実施の形態３における表示輝度制御回路を含む表示装置の主要部分を示す説明図である。本実施の形態における表示装置は、有機ＥＬ表示装置に適用し、有機ＥＬディスプレイに組み込んだ場合の例である。図６中、１０１は対数出力光センサ１０５を含む外光センサ、５０１は有機ＥＬ電源制御回路、５０２は有機ＥＬ電源回路、５０３は有機ＥＬパネルである。
【００３６】
本実施の形態の有機ＥＬ表示装置においては、外光センサ１０１が照度信号を発信し、有機ＥＬ電源制御回路５０１が照度信号を受信し、外光の明るさに見合った有機ＥＬディスプレイの明るさを決定し、有機ＥＬ電源回路５０２が有機ＥＬパネル５０３に供給する電圧を制御することで有機ＥＬディスプレイの調光を行う。ここで、有機ＥＬ電源制御回路５０１は、入力部に対数−リニア変換回路１０６を内蔵している。対数−リニア変換回路１０６は、前記実施の形態１において説明したものと同様の機能を有している。
【００３７】
図７は、有機ＥＬパネル５０３を示す詳細図である。図７中、５１１は有機ＥＬ素子、５１２は有機ＥＬ素子駆動ＴＦＴ、５１３は選択ＴＦＴ、５１４は保持容量、５２１は信号線、５２２は走査線、５２３は電源線、５２４は走査線駆動回路、５２５は信号線駆動回路である。
【００３８】
有機ＥＬ素子駆動ＴＦＴ５１２は、有機ＥＬ素子５１１をそのゲート電圧に応じて駆動する。有機ＥＬ素子駆動ＴＦＴ５１２のゲート電圧は保持容量５１４に蓄積される。保持容量５１４に蓄積される電圧は、走査線５２２の電圧がＨｉｇｈレベルとなったときに、信号線５２１から供給され書き換えられる。走査線駆動回路５２４は走査線５２２を駆動し、保持容量５１４の信号電圧を書き換えするラインを選択する。信号線駆動回路５２５は、映像信号入力と走査線駆動回路５２４による選択ラインに応じて、信号線５２１に供給する電圧を制御する。そして電源線５２３は発光のための電源電圧を、各画素に供給する。また、電源線５２３は外部の有機ＥＬ電源回路５０２に接続されているものとする。
【００３９】
各画素の表示輝度を制御する手段としては、信号線駆動回路５２５に入力する映像信号を変化させ表示画像を変える方法のほかに、電源線５２３を介して有機ＥＬ電源回路５０２から供給される電源電圧を変化させる方法がある。特に、後者の方法は、有機ＥＬパネル５０３全体の輝度を変化させることが可能である。
【００４０】
これゆえ、外光センサ１０１で外光照度を測定し、その測定結果に応じて有機ＥＬパネル５０３の電源電圧を制御することで、有機ＥＬパネル５０３の表示輝度を外光照度に応じて最適な輝度に制御することができる。
【００４１】
このような外光照度に応じて表示輝度を制御する機能を有する有機ＥＬディスプレイにおいて、有機ＥＬ電源制御回路５０１に対数−リニア変換回路１０６を内蔵することは、有機ＥＬ電源制御回路５０１と組み合わせることのできる外光センサの品種を増やすことに繋がり、多様なシステム構成を実現することに寄与する。
【００４２】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００４３】
例えば、前記実施の形態においては、液晶ディスプレイ、有機ＥＬディスプレイを例に取り説明したが、本発明は外光照度に応じて調光を行う表示装置であれば、プラズマディスプレイなどにも適用することが可能である。
【００４４】
また、多様な光センサの出力に応じたバックライト制御により、液晶ディスプレイの視認性を向上し、低消費電力化することができるので、利用範囲も携帯電話用のディスプレイのみならず、液晶ディスプレイを使用するその他のバッテリ動作のモバイル端末にも適用できる。
【００４５】
さらに、外光照度測定値に応じて、表示装置が搭載される情報機器のボタン式入力部であるキーボードのバックライト輝度を制御するシステムにも適用することができる。
【産業上の利用可能性】
【００４６】
本発明は、液晶ディスプレイ、有機ＥＬディスプレイやプラズマディスプレイなどの表示装置、液晶ディスプレイを使用する携帯電話やモバイル端末、さらに表示装置が搭載される情報機器などに利用可能である。
【図面の簡単な説明】
【００４７】
【図１】本発明の実施の形態１における表示輝度制御回路を含む液晶表示装置の主要部分を示す説明図（（ａ）（ｂ）（ｃ）（ｄ）（ｅ））である。
【図２】本発明の実施の形態１において、指数関数が全てｙ＝ｊ×２＾ｋｘで表すことが可能であることを示す説明図（（ａ）（ｂ）（ｃ））である。
【図３】本発明の実施の形態１において、式２を回路化した場合を示す説明図である。
【図４】本実施の形態の表示輝度制御回路を液晶ドライバに組み込んだ場合の液晶モジュールを示す構成図である。
【図５】本発明の実施の形態２における表示輝度制御回路を含む液晶表示装置において、式４をグラフ化して示す図である。
【図６】本発明の実施の形態３における表示輝度制御回路を含む有機ＥＬ表示装置の主要部分を示す説明図である。
【図７】本発明の実施の形態３において、有機ＥＬパネルを示す詳細図である。
【符号の説明】
【００４８】
１０１…外光センサ、１０２…バックライト制御回路、１０３…ＬＣＤバックライト、１０４…入力キーバックライト、１０５…対数出力光センサ、１０６…対数−リニア変換回路、２０１…ｙ＝２＾ｘのグラフ、２０２…ｙ＝３＾ｘのグラフ、２０３…ｙ＝２＾ｘのグラフ、２０４…ｙ＝１／２×２＾ｘのグラフ、２０５…ｙ＝２＾（ｘ／２）のグラフ、３０１…前処理部、３０２…２＾ｘ回路、３０３…整数・小数分離部、３０４…２＾ｍ算出部、３０５…計算テーブル、３０６…ｎビットシフト回路、４０１…液晶ドライバ、４０２…液晶パネル、４０３…バックライトモジュール、４０４…バックライト電源回路、４０５…制御プロセッサ、４０６…システムインターフェース、４０７…コントロールレジスタ、４０８…α設定レジスタ、４０９…ｌｏｇ2β設定レジスタ、４１０…グラフィックＲＡＭ、４１１…タイミング発生回路、４１２…階調電圧生成回路、４１３…信号線駆動回路、４１４…走査線駆動回路、４１８…ＰＷＭ回路、５０１…有機ＥＬ電源制御回路、５０２…有機ＥＬ電源回路、５０３…有機ＥＬパネル、５１１…有機ＥＬ素子、５１２…有機ＥＬ素子駆動ＴＦＴ、５１３…選択ＴＦＴ、５１４…保持容量、５２１…信号線、５２２…走査線、５２３…電源線、５２４…走査線駆動回路、５２５…信号線駆動回路。
【図１】
2008107580.tif 000003
【図２】
2008107580.tif 000004
【図３】
2008107580.tif 000005
【図４】
2008107580.tif 000006
【図５】
2008107580.tif 000007
【図６】
2008107580.tif 000008
【図７】
2008107580.tif 000009